(57)【特許請求の範囲】
【請求項１】
スイッチの端子形状を異なる形状に変換してスイッチの信号を処理するための機器のコネクタに接続可能とするための端子形状変換装置であって、スイッチが収納されるアダプタに、一端がスイッチの出力端子の異なる端子形状に適合可能とされ且つ他端が機器のコネクタに適合可能とされる接続導体を設けると共に、スイッチの出力端子と接続導体の一端との接続部位をアダプタの外部から溶接するための作業用開口部を設けてなることを特徴とするスイッチの端子形状変換装置。
【請求項２】
接続導体の他端をアダプタの外部に突出させると共にその突出方向を任意に変更可能としたことを特徴とする請求項１記載のスイッチの端子形状変換装置。
【請求項３】
アダプタに、スイッチのハウジングを貫通してスイッチを固定するための固定用リブを突設し、固定用リブの先端を熱着してスイッチを固着したことを特徴とする請求項１記載のスイッチの端子形状変換装置。
【請求項４】
請求項１〜請求項３のいずれかに記載のアダプタが組み込まれるアダプタ組み込み部と、アダプタの接続導体の他端に接続されるコネクタを介してスイッチの信号が入力される信号処理部とを備えると共に、アダプタ組み込み部にアダプタの背面部が挿入されて保持される断面略コ字状の収納凹所を設け、収納凹所内の上面及び底面とそれぞれ対向するアダプタの背面部の上下両端面に、アダプタの挿入方向に向かうほど上下両端面間の距離が短くなるようなテーパー面を設けたことを特徴とするスイッチの端子形状変換装置を組み込んだ機器。
【発明の詳細な説明】
【０００１】
【発明の属する技術分野】
本発明は、スイッチの端子形状変換装置及び該端子形状変換装置を組み込んだ機器に関するものである。
【０００２】
【従来の技術】
従来、自動車のドアロックなどに使用されるマイクロスイッチは、その出力端子を機器のコネクタに直接接続する形態をとっているため、機種に合わせて、複数種類のマイクロスイッチを用意する必要がある。すなわち、機種によっては既存のマイクロスイッチをコネクタに直接接続できない場合があり、この場合、機種に適合する端子形状を持ったマイクロスイッチを新たに作製しなければならなくなり、このためマイクロスイッチの種類が増加して、生産コストが高くつくうえに、組み付けや部品管理に手間がかかるという問題があった。
【０００３】
【発明が解決しようとする課題】
本発明は、上記の従来例の問題点に鑑みて発明したものであって、その目的とするところは、機種ごとに適合したスイッチを開発する必要がなく、しかも既存のスイッチを作り替える必要もなく、生産コストの低減と部品管理の容易化を実現できると共に、信頼性を高めて信号の伝達が行えるようにしたスイッチの端子形状変換装置及び該端子形状変換装置を組み込んだ機器を提供することにある。
【０００４】
【課題を解決するための手段】
上記課題を解決するために本発明に係るスイッチの端子形状変換装置にあっては、スイッチ１の端子形状を異なる形状に変換してスイッチ１の信号を処理するための機器のコネクタ２に接続可能とするための端子形状変換装置であって、スイッチ１が収納されるアダプタ３に、一端５ａがスイッチ１の出力端子４の異なる端子形状に適合可能とされ且つ他端５ｂが機器のコネクタ２に適合可能とされる接続導体５を設けてなることを特徴としており、このように構成することで、スイッチ１をアダプタ３に収納するだけで、スイッチ１の出力端子４とアダプタ３の接続導体５の一端５ａとを位置合わせできるので、既存のスイッチ１の端子形状が異なる場合でも、スイッチ１の端子形状を変えずにアダプタ３の接続導体５を介して機器のコネクタ２に接続可能となる。従って、使用できるスイッチ１の仕様の制約がなくなり、機器ごとに端子形状の異なったスイッチ１を生産する必要もなくなる。また上記アダプタ３に、スイッチ１の出力端子４と接続導体５の一端５ａとの接続部位をアダプタ３の外部から溶接するための作業用開口部６を設けたので、スイッチ１がアダプタ３に収納されていても、アダプタ３の外部から作業用開口部６を利用して、スイッチ１の出力端子４と接続導体５とのスポット溶接が可能となる。
【０００５】
また上記接続導体５の他端５ｂをアダプタ３の外部に突出させると共にその突出方向Ａを任意に変更可能としたことを特徴とするのが好ましく、この場合、スイッチ１と機器の位置関係が変化した場合でも、接続導体５の他端５ｂの突出方向Ａを変えるだけでよい。
【０００７】
また上記アダプタ３に、スイッチ１のハウジング１３を貫通してスイッチ１を固定するための固定用リブ８を突設し、固定用リブ８の先端８ａを熱着してスイッチ１を固着したことを特徴とするのが好ましく、この場合、アダプタ３と一体化された固定用リブ８を利用してスイッチ１をアダプタ３に対して簡単に且つ確実に固定でき、しかも熱着方式なので、通常のネジ止め方式、或いはツメによる係合方式と比較して、部品が少なくて済み、振動などによって外れるおそれもない。
【０００８】
また本発明に係るスイッチの端子形状変換装置を組み込んだ機器にあっては、上記アダプタ３が組み込まれるアダプタ組み込み部９と、アダプタ３の接続導体５の他端５ｂに接続されるコネクタ２を介してスイッチ１の信号が入力される信号処理部とを備えると共に、アダプタ組み込み部９にアダプタ３の背面部３ａが挿入されて保持される断面略コ字状の収納凹所１０を設けると共に、収納凹所１０内の上面１０ａ及び底面１０ｂとそれぞれ対向するアダプタ３の背面部３ａの上下両端面３ｂ，３ｃに、アダプタ３の挿入方向に向かうほど上下両端面３ｂ，３ｃ間の距離が短くなるようなテーパー面１１，１１’を形成したことを特徴としており、このように構成することで、スイッチ１付きアダプタ３をアダプタ組み込み部９に組み込むにあたって、アダプタ組み込み部９に設けた収納凹所１０にアダプタ３の背面部３ａを押し込むだけでよいので、アダプタ３の組み込みが簡単にできるようなり、しかもアダプタ３の背面部３ａに設けたテーパー面１１，１１’によって押し込みがスムーズとなる。
【０００９】
【発明の実施の形態】
以下、本発明を添付図面に示す実施形態に基づいて説明する。
【００１０】
本実施形態のスイッチの端子形状変換装置は、図１、図２に示すように、スイッチ１の端子形状を異なる形状に変換してスイッチ１の信号を処理するための機器のコネクタ２に接続可能とするものであり、アダプタ３にて構成されている。アダプタ３に収納されるスイッチ１は、可動接触片２０と、ＮＯ、ＮＣ、ＣＯＭの各出力端子４とを備えたものであり、例えば自動車のドアの開閉を検知するマイクロスイッチとして使用されるが、もちろんこれに限定されるものではない。
【００１１】
アダプタ３のハウジング１２には、図３、図４に示すように、上方及び前方Ｆに開口したスイッチ収納部１４が設けられている。スイッチ収納部１４の内面形状はスイッチ１のハウジング１３の形状に合った形状をしており、このスイッチ収納部１４の底面側には、一端５ａがスイッチ１の出力端子４の異なる端子形状に適合可能とされ且つ他端５ｂが機器のコネクタ２に適合可能とされた３本の接続導体５を貫通して保持するための筒状部１５が一体に設けられている。そして、各接続導体５の一端５ａがスイッチ収納部１４の内部に突出し、他端５ｂが筒状部１５の下方からアダプタ３の外部に突出している。ここで図１に示すように、３本の接続導体５の各一端５ａの幅寸法Ｃは、スイッチ１の各出力端子４の幅寸法Ｂよりもそれぞれ幅広となっており、出力端子４の端子間ピッチＰが異なる場合でも接続導体５の一端５ａに適合させることができるようにアダプタ３の接続導体５の一端５ａの幅寸法Ｃに余裕をもたせてある。さらに、上記３本の接続導体５の各他端５ｂの突出方向Ａは任意に変更可能となっている。つまり、図１〜図４の例ではストレート形状をしているが、例えば略Ｌ字状に屈曲した形状にしてもよいものである。
【００１２】
上記スイッチ収納部１４の下方には、前方Ｆに開口した作業用開口部６が設けられている。この作業用開口部６は、スイッチ１の出力端子４と接続導体５の一端５ａとの接続部位をアダプタ３の外部から溶接するための開口であり、この作業用開口部６からスイッチ１の出力端子４と接続導体５の一端５ａとをスポット溶接できるようにしてある。さらに作業用開口部６は、アダプタ３の背面部３ａの一部を切欠いた後方への開口孔７に連通しており、アダプタ３の背後から開口孔７を介して出力端子４と接続導体５の一端５ａとの接続強度の試験を行なうことができるようにしてある。
【００１３】
また、スイッチ収納部１４には、図２に示すように、背面部３ａから前方Ｆに向かって固定用リブ８が突設されている。本例では平行な左右２本の固定用リブ８が突設されており、一方、スイッチ１のハウジング１３には左右一対の貫通孔１６が設けられており、これら貫通孔１６に固定用リブ８を貫通させて固定用リブ８の先端８ａを熱着等によって潰すことによってスイッチ１をアダプタ３のスイッチ収納部１４内に固着できるようにしてある。
【００１４】
しかして、スイッチ１をアダプタ３のスイッチ収納部１４に収納したときに、スイッチ１の３本の出力端子４がアダプタ３の３本の接続導体５の各一端５ａにそれぞれ位置合わせされる。この状態でスイッチ収納部１４の前方Ｆに開口している作業用開口部６から出力端子４と接続導体５の一端５ａとをスポット溶接することで、スイッチ１の出力端子４と接続導体５とを確実に接続することができる。このとき、アダプタ３の３本の接続導体５の各一端５ａがスイッチ１の各出力端子４よりも幅広となっているため、スイッチ１の出力端子４の端子間ピッチＰが異なる仕様でも、これに適合できるようにアダプタ３の接続導体５の一端５ａの幅に余裕をもたせることができ、既存のスイッチ１をそのまま本例のアダプタ３を用いて機器のコネクタ２に接続できるものである。また、既存のスイッチ１に適合する複数種類のアダプタ３を用意しておき、既存のスイッチ１の出力端子４に適合するアダプタ３を選ぶことにより、既存のスイッチ１を変えることなく、アダプタ３を介して機器に配線接続できるものとなる。つまり、従来では既存のスイッチ１を機器のコネクタ２に接続するときには、スイッチ１の出力端子４の端子形状により、使用できるスイッチ１の仕様が制限されるが、本発明のアダプタ３を用いることでかかる制約がなくなるので、機器ごとに端子形状の異なったスイッチ１を生産する必要もなくなり、生産コストの低減と部品管理の容易化を実現できる。
【００１５】
また本例では、接続導体５の一端５ａを幅広の平板状に形成してあるので、スイッチ１の出力端子４と接続導体５の一端５ａとのスポット溶接がミスなく行われるようになり、溶接の信頼性を高めることができる。さらに、作業用開口部６の後方にも開口孔７を設けているので、この開口孔７から試験棒を用いて出力端子４と接続導体５との接続強度の試験ができるようになり、接続の信頼性を一層高めることができる。
【００１６】
しかも、アダプタ３の３本の接続導体５の各他端５ｂの突出方向Ａは任意に変更可能となっているので、例えばスイッチ１と機器の位置関係が変化した場合でも、接続導体５の他端５ｂの突出方向Ａを変えるだけで、既存のスイッチ１の端子形状を変えずにそのまま機器に接続可能となる。
【００１７】
また本例では、スイッチ１をスイッチ収納部１４に収納するときに、アダプタ３の固定用リブ８をスイッチ１のハウジング１３に設けた貫通孔１６に貫通させ、その後、固定用リブ８の先端８ａを熱着により潰すことによって、スイッチ１をアダプタ３に対して簡単に且つ確実に固定することができる。これによりスイッチ１をアダプタ３に対して容易にしかも確実に固定できると共に、熱着方式であるので、通常のネジ止め方式、或いはツメによる係合方式と比較して、部品が少なくて済み、振動などによって外れるおそれもないものである。しかも、スイッチ１をアダプタ３に固定するための専用の部品が不要となり、部品点数の増加を抑えることができ、構造の簡易化及び低コスト化を図ることができる。そのうえ、スイッチ１をアダプタ３のスイッチ収納部１４に収納することでアダプタ３はスイッチ１の保護部材としても機能し、スイッチ１の長寿命化を図ることができる。
【００１８】
また上記構成のアダプタ３は、例えば、自動車のドア等に搭載される機器に組み込まれて使用される。機器は、図５に示すように、アダプタ３が組み込まれるアダプタ組み込み部９と、アダプタ３の接続導体５の他端５ｂに接続されるコネクタ２を介してスイッチ１の信号が入力される信号処理部（図示せず）とを備えている。ここではアダプタ組み込み部９の底面側に、アダプタ３の接続導体５の他端５ｂ側が挿入される挿入孔１７が設けられており、この挿入孔１７から突出する接続導体５の他端５ｂをアダプタ組み込み部９の外部に配置されている信号処理部からのコネクタ２（図１）に接続できるようになっている。図中の４０はコネクタ３と接続導体５との接続部分を外側から保護する筒部である。またアダプタ組み込み部９の背面には、図６に示すように、断面略コ字状の収納凹所１０が設けられており、収納凹所１０内にアダプタ３の背面部３ａを押し込むことでアダプタ３を保持できるようになっている。収納凹所１０は上側のリブ３１と左右両側のリブ３０，３０とで形成されている。また収納凹所１０内の上面１０ａ及び底面１０ｂとそれぞれ対向するアダプタ３の背面部３ａの上下両端面３ｂ，３ｃには、図４に示すように、アダプタ３の挿入方向に向かうほど上下両端面３ｂ，３ｃ間の距離が短くなるようなテーパー面１１，１１’が形成されている。下側のテーパー面１１は約１０°の角度θで形成され、上側のテーパー面１１’はそれよりも大きな角度θ’で形成されている。
【００１９】
しかして、スイッチ１付きアダプタ３を機器に組み込むにあたって、アダプタ組み込み部９に設けた収納凹所１０にアダプタ３の背面部３ａを押し込むだけで保持できるようなり、しかもアダプタ３の背面部３ａに設けたテーパー面１１，１１’によって押し込みがスムーズとなり、組み込み作業が一層容易になるという利点もある。
【００２０】
【発明の効果】
上述のように請求項１記載の発明にあっては、スイッチの端子形状を異なる形状に変換してスイッチの信号を処理するための機器のコネクタに接続可能とするための端子形状変換装置であって、スイッチが収納されるアダプタに、一端がスイッチの出力端子の異なる端子形状に適合可能とされ且つ他端が機器のコネクタに適合可能とされる接続導体を設けてなるので、スイッチをアダプタに収納するだけで、スイッチの出力端子とアダプタの接続導体の一端とを位置合わせできるようになり、既存のスイッチの端子形状が異なる場合でも、スイッチの端子形状を変えずにアダプタの接続導体を介して機器のコネクタに接続可能となる。従って、使用できるスイッチの仕様の制約がなくなり、機器ごとに端子形状の異なったスイッチを生産する必要もなくなり、生産コストの低減と部品管理の容易化を実現できる。また、スイッチをアダプタに収納することでアダプタはスイッチの保護部材としても機能し、スイッチの長寿命化を図ることができる。さらに、アダプタに、スイッチの出力端子と接続導体の一端との接続部位をアダプタの外部から溶接するための作業用開口部を設けたので、スイッチがアダプタに収納されていても、アダプタの外部から作業用開口部を利用してスイッチの出力端子と接続導体との溶接による固着が可能となり、電気的接続の信頼性を高めることができる。
【００２１】
また請求項２記載の発明は、請求項１記載の効果に加えて、接続導体の他端をアダプタの外部に突出させると共にその突出方向を任意に変更可能としたので、スイッチと機器の位置関係が変化した場合でも、接続導体の他端の突出方向を変えるだけで、既存のスイッチの端子形状を変えずにそのまま機器に接続可能となる。
【００２３】
また請求項３記載の発明は、請求項１記載の効果に加えて、アダプタに、スイッチのハウジングを貫通してスイッチを固定するための固定用リブを突設し、固定用リブの先端を熱着してスイッチを固着したので、アダプタと一体化された固定用リブを利用してスイッチをアダプタに対して簡単に且つ確実に固定でき、しかも熱着方式なので、通常のネジ止め方式、或いはツメによる係合方式と比較して、部品が少なくて済み、振動などによって外れるおそれもなく、そのうえスイッチをアダプタに固定するための専用の部品が不要となり、部品点数の増加を抑えて、構造の簡易化及び低コスト化を図ることができる。
【００２４】
また請求項４記載の発明は、請求項１〜請求項３のいずれかに記載のアダプタが組み込まれるアダプタ組み込み部と、アダプタの接続導体の他端に接続されるコネクタを介してスイッチの信号が入力される信号処理部とを備えると共に、アダプタ組み込み部にアダプタの背面部が挿入されて保持される断面略コ字状の収納凹所を設けると共に、収納凹所内の上面及び底面とそれぞれ対向するアダプタの背面部の上下両端面に、アダプタの挿入方向に向かうほど上下両端面間の距離が短くなるようなテーパー面を形成したので、スイッチ付きアダプタをアダプタ組み込み部に組み込むにあたって、アダプタ組み込み部に設けた収納凹所にアダプタの背面部を押し込むだけでよいので、アダプタの組み込みが簡単にできるようなり、しかもアダプタの背面部に設けたテーパー面によって押し込みがスムーズとなり、組み込み作業が一層容易となる。
【図面の簡単な説明】
【図１】本発明の実施形態の一例を示し、スイッチが収納されたアダプタの正面図である。
【図２】（ａ）は同上の側面図、（ｂ）は側面断面図である。
【図３】同上のアダプタの正面図である。
【図４】（ａ）は同上のアダプタの側面図、（ｂ）は側面断面図である。
【図５】（ａ）は同上のスイッチ付きアダプタをアダプタ組み込み部に組み込んだ状態を説明する正面図、（ｂ）は底面図である。
【図６】図５の側面断面図である。
【符号の説明】
１  スイッチ
２  コネクタ
３  アダプタ
３ａ  背面部
３ｂ，３ｃ  上下両端面
４  出力端子
５  接続導体
５ａ  一端
５ｂ  他端
６  作業用開口部
８  固定用リブ
９  アダプタ組み込み部
１０  収納凹所
１０ａ  上面
１０ｂ  底面
１１  テーパー面
１３  スイッチのハウジング
Ａ  接続導体の他端の突出方向
【図１】
0004265126.tif 000002
【図２】
0004265126.tif 000003
【図３】
0004265126.tif 000004
【図４】
0004265126.tif 000005
【図５】
0004265126.tif 000006
【図６】
0004265126.tif 000007